(57)【要約】【課題】複数ある各被監視部のアナログスイッチ部をすべて切り替えた後、アナログスイッチ部の安定出力を待つことで、監視対象波長に係る被監視部の数が増えた場合も、監視性能を満足させることができる。【解決手段】監視部は、各一定の監視周期において、始めに複数の被監視部に対して各アナログスイッチ部が対応する監視要素の一つを選択する切り替え指示信号を各被監視部へ送付し、次に、切り替えられたアナログスイッチ部から得られる監視要素からの監視データの出力が安定するまで所定時間待った後、転送指示信号を各被監視部へ送付して、各アナログスイッチ部から出力されたそれぞれの監視データを順次入手する。【選択図】        図１
2005005877.tif 000002
【特許請求の範囲】
【請求項１】
それぞれが通信チャネルの光信号を処理する複数の被監視部と、前記複数の通信チャネルの各光信号の状態を監視する監視部を備えた光通信装置の監視装置において、
前記各被監視部は、
自己が担当する光信号の状態に係る監視対象となる複数の監視要素と、
前記監視部からの切り替え指示信号に従って前記複数の監視要素を切り替え選択し、前記監視部からの転送指示信号に従って選択した監視要素から監視データを出力するアナログスイッチ部をそれぞれ有し、
前記監視部は、
各一定の監視周期において、始めに前記複数の被監視部に対して各アナログスイッチ部が対応する監視要素の一つを選択する切り替え指示信号を前記各被監視部へ送付し、次に、切り替えられたアナログスイッチ部から得られる監視要素からの監視データの出力が安定するまで所定時間待った後、転送指示信号を前記各被監視部へ送付して、前記各アナログスイッチ部から出力されたそれぞれの監視データを順次入手することを特徴とする光通信装置の監視装置。
【請求項２】
監視部と各被監視部間で通信するための第１の通信路を備え、
前記監視部は、
各一定の監視周期におけるアナログスイッチ部の切り替えに際して、各被監視部毎に順次各アナログスイッチ部が対応する監視要素の一つをそれぞれ選択する切り替え指示信号を前記第１の通信路を介して送付し、次に、最後に選択された監視要素からの監視データに対応するアナログスイッチ部の出力が安定するまで所定時間待った後、転送指示信号を前記第１の通信路を介して前記各被監視部に対して送付して、前記各アナログスイッチ部から出力されたそれぞれの監視データを前記第１の通信路を介して順次入手するＣＰＵ部を有したことを特徴とする請求項１記載の光通信装置の監視装置。
【請求項３】
監視部と各被監視部間で通信するための第１の通信路を備え、
前記監視部は、
各一定の監視周期におけるアナログスイッチ部の切り替えに際して、一度にすべてのアナログスイッチ部に対して、それぞれの対応する監視要素の一つを選択する切り替え指示信号を前記第１の通信路を介して送付し、次に、選択された監視要素からの監視データに対応する各アナログスイッチ部の出力の全てが安定するまで所定時間待った後、転送指示信号を前記第１の通信路を介して前記各被監視部に対して送付して、前記各アナログスイッチ部から出力されたそれぞれの監視データを順次入手するＣＰＵ部を有したことを特徴とする請求項１記載の光通信装置の監視装置。
【請求項４】
監視部と各被監視部間で通信するための第１および第２の通信路を備え、
前記監視部は、ＣＰＵ部と、前記各被監視部のアナログスイッチ部の切り替えを行うための選択データが書き込まれ、前記ＣＰＵ部からの指示を受けることにより前記選択データに基づいた切り替え指示信号を出力する内部レジスタを有し、
各一定の監視周期において、始めに前記内部レジスタが前記ＣＰＵ部からの指示により前記切り替え指示信号を前記第２の通信路を介して前記各被監視部へ送付して、各被監視部毎に順次前記各アナログスイッチ部が対応する監視要素の一つをそれぞれ選択し、次に、最後に選択された監視要素からの監視データに対応するアナログスイッチ部の出力が安定するまで所定時間待った後、前記ＣＰＵ部が転送指示信号を前記第１の通信路を介して前記各被監視部に対して送付して、前記各アナログスイッチ部から出力されたそれぞれの監視データを前記第１の通信路を介して順次入手するようにしたことを特徴とする請求項１記載の光通信装置の監視装置。
【発明の詳細な説明】
【０００１】
【発明の属する技術分野】
この発明は、複数のチャネルを有する光通信装置で、特に１つの監視部が複数の被監視部の光信号の状態を一定周期で監視する光通信装置の監視装置に関するものである。
【０００２】
【従来の技術】
従来の光通信装置では、波長監視の際、監視部からバス接続された一つの被監視部へアクセスし、アナログスイッチ部を切り替えて、被監視部に実装されているＡ／Ｄコンバータの入力信号をモニタ対象項目に切り替える。監視部は、アナログスイッチ部の出力が安定するまで一定時間待ち、その後、再度被監視部へアクセスを行い、モニタデータを読み込む。監視部は監視周期内に上記のシーケンスを各被監視部ごとに順番に行う（例えば、特許文献１参照）。この場合、アナログスイッチ部の出力安定待ち時間は、アナログスイッチ設定、モニタデータ読込みのアクセス時間に比べ、かなり長い時間であり、監視時間において支配的な要因である。
【０００３】
【特許文献１】
特開平８−１６３０３６号公報（第１図）
【０００４】
【発明が解決しようとする課題】
従来の光通信装置の監視装置は、以上のように構成されているので、監視部が監視する被監視部の数が増えた場合、監視時間の中で支配的な要素であるアナログスイッチ部の待ち時間も被監視部の増加に比例して増加し、意義ある監視周期内の波長監視処理時間の占有率が増加する。その結果、意義ある監視周期内において他の監視項目については監視できなくなり、監視装置として監視性能が低下してしまうなどの課題があった。
【０００５】
この発明は、上記のような課題を解消するためになされたもので、複数ある各被監視部のアナログスイッチ部をすべて切り替えた後、アナログスイッチ部の安定出力を待つことで、監視対象波長に係る被監視部の数が増えた場合も、監視性能を満足させることができる光通信装置の監視装置を得ることを目的とする。
【０００６】
【課題を解決するための手段】
この発明に係る光通信装置の監視装置は、それぞれが通信チャネルの光信号を処理する複数の被監視部と、複数の通信チャネルの各光信号の状態を監視する監視部を備えた光通信装置の監視装置において、各被監視部は、自己が担当する光信号の状態に係る監視対象となる複数の監視要素と、監視部からの切り替え指示信号に従って複数の監視要素を切り替え選択し、監視部からの転送指示信号に従って選択した監視要素から監視データを出力するアナログスイッチ部をそれぞれ有し、監視部は、各一定の監視周期において、始めに複数の被監視部に対して各アナログスイッチ部が対応する監視要素の一つを選択する切り替え指示信号を各被監視部へ送付し、次に、切り替えられたアナログスイッチ部から得られる監視要素からの監視データの出力が安定するまで所定時間待った後、転送指示信号を各被監視部へ送付して、各アナログスイッチ部から出力されたそれぞれの監視データを順次入手するものである。
【０００７】
【発明の実施の形態】
以下、この発明の各実施の形態を説明する。
実施の形態１．
図１はこの発明の実施の形態１による光通信装置の監視装置の基本構成を示すブロック回路図である。図において、監視部１はＣＰＵ部２とインタフェース部３を有し、被監視部４１，４２，…，４Ｍの各チャネルの状態を一定周期で監視する動作を実行する手段である。複数の被監視部４１，４２，…，４Ｍのそれぞれは、それぞれ対応したインタフェース部５、アナログスイッチ部６、要素群７を有する。要素群７は、監視部１がモニタする出力パワーや波長等、各被監視部が担当する光信号の状態に係る監視対象となる複数の監視要素７１，…，７Ｎからなる。アナログスイッチ部６は、監視部１からの切り替え指示信号に従って切り替わり、監視要素７１，…，７Ｎのいずれかを選択し、また、監視部１からの転送指示信号に従って監視要素のモニタ値（監視データ）を監視部１に転送する手段である。それぞれインタフェース部３，５は、監視用バス（第１の通信路）８で接続されている。
【０００８】
図２はこの発明の実施の形態１に係る光通信装置による波長監視シーケンスを示す説明図である。
監視部１は、複数の被監視部４１，４２，…，４Ｍに対して、一定周期で順次監視を行う。監視対象である監視要素７１，…，７Ｎの中には、入出力パワー値や出力波長等のモニタ値を得る対象があり、被監視部４１内のアナログスイッチ部６の出力を切り替えてモニタする。アナログスイッチ部６で前の切り替え後から次の切り替え開始時までの過渡状態時に監視部１が前の切り替え時の監視データの読み込みを行うと、不確かなデータを読み込む可能性がある。そのため、過渡状態においては、監視部１は一定期間読込みを待つようにした方がよい。
【０００９】
監視部１からある監視要素の監視データを読み込む場合、各一定の監視周期において、まず監視部１のＣＰＵ部２から切り替え指示信号を被監視部４１，４２，…，４Ｍに対して監視用バス８を介して送付する。各被監視部４１，４２，…，４Ｍは、この切り替え指示信号のデータ構成に従って順次、被監視部４１から被監視部４Ｍまでそれぞれのアナログスイッチ部６を同じように切り替える。この最初の監視周期の切り替えでは、それぞれの監視要素７１が選択される。次に、監視部１は、最後に切り替えた被監視部４Ｍのアナログスイッチ部６の出力、すなわちその選択されている監視要素７１の監視データが十分安定するまで待ち状態となる。待ち時間経過後、監視部１のＣＰＵ部２は監視用バス８を介して前記各被監視部に対して転送指示信号を送付する。各被監視部４１，４２，…，４Ｍは、この転送指示信号のデータ構成に従って、被監視部４１から被監視部４Ｍのまでそれぞれのアナログスイッチ部６が選択したそれぞれの監視要素７１の監視データを監視部１に対して監視用バス８を介して順次送信し、これの監視データをＣＰＵ２が読み込む。これで最初の一定の監視周期が終了する。
【００１０】
その後、次の一定の監視周期に移り、各被監視部４１，４２，…，４Ｍのそれぞれ対応する監視要素７２の監視データを読み込むため、前述と同様にアナログスイッチ部６の切り替えを行う。この監視周期の動作手順を一定時間内で監視要素７１，…，７Ｎに対して順次行う。この監視動作において、監視部１でのアナログスイッチ部６の出力の安定待ち時間は一定であり、被監視部４１，４２，…，４Ｍの監視に要する時間は、被監視部の数に依らずほぼ一定となり、チャネル数を増設したとしても被監視部の監視データの読み込みに要する時間が、全体の監視時間に対する割合を圧迫することを避けることができる。
【００１１】
以上のように、この実施の形態１によれば、ＣＰＵ部２が、各一定の監視周期におけるアナログスイッチ部６の切り替えに際して、各被監視部４１，４２，…，４Ｍ毎に順次各アナログスイッチ部６が対応する監視要素７１，…，７Ｎの一つ（例えば７１）をそれぞれ選択する切り替え指示信号を監視用バス８を介して送付し、次に、最後に選択された被監視部４Ｍの監視要素（例えば７１）からの監視データに対応するアナログスイッチ部６の出力が安定するまで所定時間待った後、転送指示信号を監視用バス８を介して各被監視部４１，４２，…，４Ｍに対して送付して、各アナログスイッチ部６から出力されたそれぞれの監視データを監視用バス８を介して順次入手するようにしている。したがって、全ての被監視部のアナログスイッチを切り替えた後に、出力の安定待ち時間に入るシーケンスとしたことで、アナログスイッチ部の出力の安定待ち状態を１つの監視項目に付き１回とすることができ、一定の周期で監視する被監視部が増設された場合にも、アナログスイッチ部の出力の安定待ち時間による監視時間の増加を防ぎ、監視性能を確保できる効果が得られる。
【００１２】
実施の形態２．
この実施の形態２による光通信装置の監視装置の構成は図１と同じとし、図３にこの実施の形態２に係る波長監視シーケンスを示す。
上記実施の形態１では、各一定の監視周期において各被監視部４１，４２，…，４Ｍのアナログスイッチ部６を切り替える際に、被監視部４１から４Ｍまで順次切り替えるようにしているが、この実施の形態２では、監視部１からすべての被監視部４１，４２，…，４Ｍ対して一度だけアナログスイッチ部６の切り替えを行わせるシーケンスとする。
【００１３】
各一定の監視周期の始めに監視部１のＣＰＵ部２から各被監視部４１，４２，…，４Ｍに対して監視用バス８を介して切り替え指示信号が送付される。各被監視部４１，４２，…，４Ｍは、切り替え指示信号の構成に従って同時にすべてのアナログスイッチ部６の切り替えを実施する。ＣＰＵ部２は、切り替え指示信号の送付後、各アナログスイッチ部６の出力の全てが安定するまで一定時間待ち、待ち時間経過後、各被監視部４１，４２，…，４Ｍに対して転送指示信号を監視用バス８を介して送付する。各被監視部４１，４２，…，４Ｍは、この転送指示信号のデータ構成に従って、被監視部４１から被監視部４Ｍまでそれぞれのアナログスイッチ部６が選択したそれぞれの監視要素７１の監視データを監視部１に対して監視用バス８を介して順次送信し、これの監視データをＣＰＵ部２が読み込む。これで最初の一定の監視周期が終了する。
【００１４】
以上のように、実施の形態２によれば、ＣＰＵ部２が、各一定の監視周期におけるアナログスイッチ部６の切り替えに際して、一度にすべてのアナログスイッチ部６に対して、それぞれの対応する監視要素７１，…，７Ｎの一つ（例えば７１）を選択する切り替え指示信号を監視用バス８を介して送付し、次に、選択された監視要素７１，…，７Ｎからの監視データに対応する各アナログスイッチ部６の出力の全てが安定するまで所定時間待った後、転送指示信号を監視用バス８を介して各被監視部４１，４２，…，４Ｍに対して送付して、各アナログスイッチ部６から出力されたそれぞれの監視データを監視用バス８を介して順次入手するようにしている。したがって、アナログスイッチ部６の切り替え設定時間が被監視部４１，４２，…，４Ｍの数に依らず一定となり、アナログスイッチ部６の切り替え設定に要する時間分だけ監視時間の短縮が図れる効果が得られる。
【００１５】
実施の形態３．
図４はこの発明の実施の形態３による光通信装置の監視装置の基本構成を示すブロック回路図である。図において、図１に相当する部分は同一符号を付す。監視部１の構成として新たに内部レジスタ９を有する。この内部レジスタ９は、各被監視部４１，４２，…，４Ｍのアナログスイッチ部６の切り替えを行うための選択データが書き込まれ、ＣＰＵ部２からの指示を受けることにより選択データに基づいた切り替え指示信号を出力する手段である。また、内部レジスタ９から各被監視部４１，４２，…，４Ｍのそれぞれのアナログスイッチ部６に対して、監視用バス８とは別に、切り替え指示信号を送付する信号線（第２の通信路）１０が繋がっている。
【００１６】
監視部１では、監視要素のモニタ処理に際して、まず内部レジスタ９にモニタする項目の選択データを書き込む。各一定の監視周期において、ＣＰＵ部２からの指示により、内部レジスタ９から切り替え指示信号が信号線１０を介して各被監視部４１，４２，…，４Ｍへ送付される。各被監視部４１，４２，…，４Ｍは、この切り替え指示信号のデータ構成に従って順次、被監視部４１から被監視部４Ｍまでそれぞれのアナログスイッチ部６を同じように切り替える。この最初の監視周期の切り替えでは、それぞれの監視要素７１が選択される。次に、監視部１は、最後に切り替えた被監視部４Ｍのアナログスイッチ部６の出力、すなわちその選択されている監視要素７１の監視データが十分安定するまで待ち状態となる。待ち時間経過後、監視部１のＣＰＵ部２は監視用バス８を介して前記各被監視部に対して転送指示信号を送付する。各被監視部４１，４２，…，４Ｍは、この転送指示信号のデータ構成に従って、被監視部４１から被監視部４Ｍまでそれぞれのアナログスイッチ部６が選択したそれぞれの監視要素７１の監視データを監視部１に対して監視用バス８を介して順次送信し、これの監視データをＣＰＵ２が読み込む。これで最初の一定の監視周期を終了する。これにより、実施の形態１で各被監視部４１，４２，…，４Ｍごとに必要であったアナログスイッチ部６の切り替えが内部レジスタ９への一度のアクセスで可能となる。
【００１７】
以上のように、この実施の形態３によれば、内部レジスタ９を設け、各被監視部４１，４２，…，４Ｍのアナログスイッチ部６の切り替えを行うための選択データが書き込まれ、ＣＰＵ部２からの指示を受けることにより選択データに基づいた切り替え指示信号を出力するようにしておき、各一定の監視周期において、始めに内部レジスタ９がＣＰＵ部２からの指示により切り替え指示信号を信号線１０を介して各被監視部４１，４２，…，４Ｍへ送付して、各被監視部４１，４２，…，４Ｍ毎に順次各アナログスイッチ部６が対応する監視要素の一つ（例えば７１）をそれぞれ選択し、次に、最後に選択された被監視部４Ｍの監視要素（例えば７１）からの監視データに対応するアナログスイッチ部６の出力が安定するまで所定時間待った後、ＣＰＵ部２が転送指示信号を監視用バス８を介して各被監視部４１，４２，…，４Ｍに対して送付して、各アナログスイッチ部６から出力されたそれぞれの監視データを監視用バス８を介して順次入手するようにしている。したがって、アナログスイッチ部６の出力切り替え設定を各被監視部４１，４２，…，４Ｍ毎に行う必要がなくなり、実施の形態１に比べて、アナログスイッチ部６の切り替え時間分だけ処理時間の短縮が図れる効果が得られる。また、被監視部の数が増えた場合も、一定の監視時間を確保できるようになり、全体の監視処理の時間を圧迫することを防ぐことが可能となる。
【００１８】
【発明の効果】
以上のように、この発明によれば、それぞれが通信チャネルの光信号を処理する複数の被監視部と、複数の通信チャネルの各光信号の状態を監視する監視部を備えた光通信装置の監視装置において、各被監視部は、自己が担当する光信号の状態に係る監視対象となる複数の監視要素と、監視部からの切り替え指示信号に従って複数の監視要素を切り替え選択し、監視部からの転送指示信号に従って選択した監視要素から監視データを出力するアナログスイッチ部をそれぞれ有し、監視部は、各一定の監視周期において、始めに複数の被監視部に対して各アナログスイッチ部が対応する監視要素の一つを選択する切り替え指示信号を各被監視部へ送付し、次に、切り替えられたアナログスイッチ部から得られる監視要素からの監視データの出力が安定するまで所定時間待った後、転送指示信号を各被監視部へ送付して、各アナログスイッチ部から出力されたそれぞれの監視データを順次入手するように構成したので、一定周期で監視する被監視部が増設された場合にも、アナログスイッチ部の出力安定待ち時間による監視時間の増加を防ぎ、一定の監視性能を確保できる効果がある。
【図面の簡単な説明】
【図１】この発明の実施の形態１による光通信装置の監視装置の基本構成を示すブロック回路図である。
【図２】この発明の実施の形態１に係る波長監視シーケンスを示す説明図である。
【図３】この発明の実施の形態２に係る波長監視シーケンスを示す説明図である。
【図４】この発明の実施の形態３による光通信装置の監視装置の基本構成を示すブロック回路図である。
【符号の説明】
１  監視部、２  ＣＰＵ部、３，５  インタフェース部、４１，４２，…，４Ｍ  被監視部、６  アナログスイッチ部、７  要素群、７１，…，７Ｎ  監視要素、８  監視用バス（第１の通信路）、９  内部レジスタ、１０  信号線（第２の通信路）。
【図１】
2005005877.tif 000003
【図２】
2005005877.tif 000004
【図３】
2005005877.tif 000005
【図４】
2005005877.tif 000006